(57)【要約】【課題】  なりすまし測定の発生を抑えることができるアルコール測定システムおよびアルコール測定器を提供する。【解決手段】  アルコール測定システムにおいて、アルコール測定器２０は、吹き込まれた呼気中のアルコール濃度の測定中の画像としての測定中画像をスマートフォン４０に取得させるための情報としてのシャッターコマンドをアルコール濃度の測定中に出力し（Ｓ１４８）、スマートフォン４０は、シャッターコマンドを取得した場合にカメラによって撮影された画像を測定中画像として取得し（Ｓ１２４）、アルコール測定器２０は、アルコール測定器２０の外部へ光を発する発光デバイスを備え、発光デバイスによって発する光の点滅の信号によってシャッターコマンドを出力し、スマートフォン４０は、カメラによって撮影した画像に含まれる光の点滅の信号に基づいてシャッターコマンドを取得することを特徴とする。【選択図】  図９
2019164028.tif 000002
【特許請求の範囲】
【請求項１】
吹き込まれた呼気中のアルコール濃度を測定するアルコール測定器と、
画像を撮影する撮影デバイスを備える電子機器と
を備え、
前記アルコール測定器は、前記アルコール濃度の測定中の画像としての測定中画像を前記電子機器に取得させるための情報としての測定中画像取得命令を前記アルコール濃度の測定中に出力し、
前記電子機器は、前記測定中画像取得命令を取得した場合に前記撮影デバイスによって撮影された画像を前記測定中画像として取得し、
前記アルコール測定器は、前記アルコール測定器の外部へ光を発する発光デバイスを備え、前記発光デバイスによって発する光の点滅の信号によって前記測定中画像取得命令を出力し、
前記電子機器は、前記撮影デバイスによって撮影した画像に含まれる光の点滅の信号に基づいて前記測定中画像取得命令を取得することを特徴とするアルコール測定システム。
【請求項２】
前記アルコール測定器は、前記アルコール濃度の測定中に呼気が吹き込まれたことを検出した場合に前記測定中画像取得命令を出力することを特徴とする請求項１に記載のアルコール測定システム。
【請求項３】
前記アルコール測定器は、前記発光デバイスによって発する光の点滅の信号によって前記アルコール測定器自身の識別情報を出力し、
前記電子機器は、前記撮影デバイスによって撮影した画像に含まれる光の点滅の信号に基づいて前記識別情報を取得することを特徴とする請求項１または請求項２に記載のアルコール測定システム。
【請求項４】
前記アルコール測定器は、測定の結果を示す測定結果情報を、前記発光デバイスによって発する光の点滅の信号によって出力し、
前記電子機器は、前記撮影デバイスによって撮影した画像に含まれる光の点滅の信号に基づいて前記測定結果情報を取得することを特徴とする請求項１から請求項３までのいずれかに記載のアルコール測定システム。
【請求項５】
前記アルコール測定器は、前記撮影デバイスによる撮影の範囲内における前記発光デバイスの存在の判定のために使用される撮影判定用情報を、前記発光デバイスによって発する光の点滅の信号によって出力し、
前記電子機器は、前記撮影デバイスによって撮影した画像に含まれる光の点滅の信号に基づいて前記撮影判定用情報を取得し、前記撮影判定用情報を取得していない場合に特定の通知を実行することを特徴とする請求項１から請求項４までのいずれかに記載のアルコール測定システム。
【請求項６】
前記アルコール測定器は、前記アルコール測定器から前記電子機器に通知される全ての情報を、前記発光デバイスによって発する光の点滅の信号によって出力し、
前記電子機器は、前記アルコール測定器から前記電子機器に通知される全ての情報を、前記撮影デバイスによって撮影した画像に含まれる光の点滅の信号に基づいて取得することを特徴とする請求項１から請求項５までのいずれかに記載のアルコール測定システム。
【請求項７】
前記アルコール測定器は、外部の光源から前記発光デバイスに向かう光を遮蔽する外部光遮蔽部を備え、
前記外部の光源は、前記アルコール測定器が前記アルコール濃度の測定に適した特定の角度で配置されていて、前記発光デバイスによって発せられた光が前記撮影デバイスによって撮影される位置に前記電子機器が配置されている場合に、前記発光デバイスから前記撮影デバイスに向かう方向における位置が前記発光デバイスより下流であるとともに、鉛直方向における位置が前記発光デバイスより上であることを特徴とする請求項１から請求項６までのいずれかに記載のアルコール測定システム。
【請求項８】
前記アルコール測定器は、互いに同一のタイミングで点滅する複数の前記発光デバイスを備えることを特徴とする請求項１から請求項７までのいずれかに記載のアルコール測定システム。
【請求項９】
吹き込まれた呼気中のアルコール濃度を測定するアルコール測定器であって、
前記アルコール測定器は、画像を撮影する撮影デバイスを備える電子機器に前記アルコール濃度の測定中の画像としての測定中画像を取得させるための情報としての測定中画像取得命令を前記アルコール濃度の測定中に出力し、
前記アルコール測定器は、前記アルコール測定器の外部へ光を発する発光デバイスを備え、前記発光デバイスによって発する光の点滅の信号によって前記測定中画像取得命令を出力することを特徴とするアルコール測定器。
【発明の詳細な説明】
【技術分野】
【０００１】
本発明は、呼気中のアルコール濃度の測定中の被測定者の画像を撮影するアルコール測定システムおよびアルコール測定器に関する。
【背景技術】
【０００２】
従来のアルコール測定システムとして、吹き込まれた呼気中のアルコール濃度を測定するアルコール測定器と、画像を撮影する撮影デバイスを備える電子機器とを備えるものが知られている（例えば、特許文献１参照。）。特許文献１に記載されたアルコール測定システムにおいて、アルコール測定器は、アルコール濃度の測定中の画像としての測定中画像を電子機器に取得させるための情報としての測定中画像取得命令を、通信ケーブルを介した有線通信、または、Ｂｌｕｅｔｏｏｔｈ（登録商標）などの無線通信によって、アルコール濃度の測定中に電子機器に送信する。そして、電子機器は、測定中画像取得命令を受信した場合に撮影デバイスによって画像を測定中画像として取得する。
【先行技術文献】
【特許文献】
【０００３】
【特許文献１】特開２０１４−１１９３３２号公報
【発明の概要】
【発明が解決しようとする課題】
【０００４】
しかしながら、従来のアルコール測定システムにおいては、アルコール濃度の測定には使用されず撮影されるためだけのアルコール測定器（以下「撮影専用アルコール測定器」という。）と、撮影されずアルコール濃度の測定に使用されるアルコール測定器（以下「測定専用アルコール測定器」という。）とが別々に用意され、飲酒状態の被測定者が電子機器の撮影デバイスによる撮影の範囲内で撮影専用アルコール測定器によってアルコール濃度を測定しているふりをし、被測定者に協力する、飲酒状態ではない者が電子機器の撮影デバイスによる撮影の範囲外で測定専用アルコール測定器によってアルコール濃度を測定するという不正、すなわち、なりすまし測定が発生する可能性があるという問題がある。
【０００５】
そこで、本発明は、なりすまし測定の発生を抑えることができるアルコール測定システムおよびアルコール測定器を提供することを目的とする。
【課題を解決するための手段】
【０００６】
本発明のアルコール測定システムは、吹き込まれた呼気中のアルコール濃度を測定するアルコール測定器と、画像を撮影する撮影デバイスを備える電子機器とを備え、前記アルコール測定器は、前記アルコール濃度の測定中の画像としての測定中画像を前記電子機器に取得させるための情報としての測定中画像取得命令を前記アルコール濃度の測定中に出力し、前記電子機器は、前記測定中画像取得命令を取得した場合に前記撮影デバイスによって撮影された画像を前記測定中画像として取得し、前記アルコール測定器は、前記アルコール測定器の外部へ光を発する発光デバイスを備え、前記発光デバイスによって発する光の点滅の信号によって前記測定中画像取得命令を出力し、前記電子機器は、前記撮影デバイスによって撮影した画像に含まれる光の点滅の信号に基づいて前記測定中画像取得命令を取得することを特徴とする。
【０００７】
この構成により、本発明のアルコール測定システムは、発光デバイスによって発する光の点滅の信号によってアルコール測定器が測定中画像取得命令をアルコール濃度の測定中に出力し、撮影デバイスによって撮影された画像に含まれる光の点滅の信号に基づいて電子機器が測定中画像取得命令を取得した場合に、電子機器が測定中画像を取得するので、アルコール測定器と、このアルコール測定器に呼気を吹き込む被測定者とが測定中画像に含まれる可能性を向上することができ、その結果、なりすまし測定の発生を抑えることができる。
【０００８】
本発明のアルコール測定システムにおいて、前記アルコール測定器は、前記アルコール濃度の測定中に呼気が吹き込まれたことを検出した場合に前記測定中画像取得命令を出力しても良い。
【０００９】
この構成により、本発明のアルコール測定システムは、アルコール濃度の測定中に呼気が吹き込まれたことをアルコール測定器が検出した場合に、アルコール測定器が測定中画像取得命令を出力するので、被測定者がアルコール測定器に呼気を吹き込んだ様子が測定中画像に含まれる可能性を更に向上することができる。
【００１０】
本発明のアルコール測定システムにおいて、前記アルコール測定器は、前記発光デバイスによって発する光の点滅の信号によって前記アルコール測定器自身の識別情報を出力し、前記電子機器は、前記撮影デバイスによって撮影した画像に含まれる光の点滅の信号に基づいて前記識別情報を取得しても良い。
【００１１】
この構成により、本発明のアルコール測定システムは、発光デバイスによって発する光の点滅の信号によってアルコール測定器がアルコール測定器の識別情報を出力し、撮影デバイスによって撮影した画像に含まれる光の点滅の信号に基づいて電子機器がアルコール測定器の識別情報を取得するので、測定中画像に含まれるアルコール測定器、すなわち、被測定者が呼気を吹き込んだ可能性が高いアルコール測定器の識別情報を電子機器が取得することができ、その結果、不正な測定の発生を抑えることができる。
【００１２】
本発明のアルコール測定システムにおいて、前記アルコール測定器は、測定の結果を示す測定結果情報を、前記発光デバイスによって発する光の点滅の信号によって出力し、前記電子機器は、前記撮影デバイスによって撮影した画像に含まれる光の点滅の信号に基づいて前記測定結果情報を取得しても良い。
【００１３】
この構成により、本発明のアルコール測定システムは、発光デバイスによって発する光の点滅の信号によってアルコール測定器が測定結果情報を出力し、撮影デバイスによって撮影した画像に含まれる光の点滅の信号に基づいて電子機器が測定結果情報を取得するので、測定中画像に含まれるアルコール測定器、すなわち、被測定者が呼気を吹き込んだ可能性が高いアルコール測定器によって出力された測定結果情報を電子機器が取得することができ、その結果、なりすまし測定の発生を抑えることができる。
【００１４】
本発明のアルコール測定システムにおいて、前記アルコール測定器は、前記撮影デバイスによる撮影の範囲内における前記発光デバイスの存在の判定のために使用される撮影判定用情報を、前記発光デバイスによって発する光の点滅の信号によって出力し、前記電子機器は、前記撮影デバイスによって撮影した画像に含まれる光の点滅の信号に基づいて前記撮影判定用情報を取得し、前記撮影判定用情報を取得していない場合に特定の通知を実行しても良い。
【００１５】
この構成により、本発明のアルコール測定システムは、発光デバイスによって発する光の点滅の信号によってアルコール測定器が撮影判定用情報を出力し、撮影デバイスによって撮影した画像に含まれる光の点滅の信号に基づいて電子機器が撮影判定用情報を取得し、撮影判定用情報を取得していない場合に電子機器が特定の通知を実行するので、撮影デバイスによる撮影の範囲内に発光デバイスが存在しない場合に電子機器によって実行される特定の通知によって、撮影デバイスによる撮影の範囲内に発光デバイスを存在させるように被測定者に促すことができ、その結果、電子機器による測定中画像取得命令の取得の成功の可能性を向上することができる。
【００１６】
本発明のアルコール測定システムにおいて、前記アルコール測定器は、前記アルコール測定器から前記電子機器に通知される全ての情報を、前記発光デバイスによって発する光の点滅の信号によって出力し、前記電子機器は、前記アルコール測定器から前記電子機器に通知される全ての情報を、前記撮影デバイスによって撮影した画像に含まれる光の点滅の信号に基づいて取得しても良い。
【００１７】
この構成により、本発明のアルコール測定システムは、アルコール測定器から電子機器に通知する全ての情報を、発光デバイスによって発する光の点滅の信号によってアルコール測定器が出力し、アルコール測定器から電子機器に通知する全ての情報を、撮影デバイスによって撮影した画像に含まれる光の点滅の信号に基づいて電子機器が取得するので、アルコール測定器と、電子機器との間の通信方式の種類を低減することができる。
【００１８】
本発明のアルコール測定システムにおいて、前記アルコール測定器は、外部の光源から前記発光デバイスに向かう光を遮蔽する外部光遮蔽部を備え、前記外部の光源は、前記アルコール測定器が前記アルコール濃度の測定に適した特定の角度で配置されていて、前記発光デバイスによって発せられた光が前記撮影デバイスによって撮影される位置に前記電子機器が配置されている場合に、前記発光デバイスから前記撮影デバイスに向かう方向における位置が前記発光デバイスより下流であるとともに、鉛直方向における位置が前記発光デバイスより上であっても良い。
【００１９】
この構成により、本発明のアルコール測定システムは、アルコール測定器によってアルコール濃度の測定が実行される場合に外部の光源からの光が発光デバイスに当たることを外部光遮蔽部によって抑えるので、発光デバイスによって発する光の点滅の信号によって出力される情報が電子機器によって取得されることが失敗することを抑えることができる。
【００２０】
本発明のアルコール測定システムにおいて、前記アルコール測定器は、互いに同一のタイミングで点滅する複数の前記発光デバイスを備えても良い。
【００２１】
この構成により、本発明のアルコール測定システムは、互いに同一のタイミングで点滅する複数の発光デバイスの一部が、アルコール測定器が被測定者によって掴まれる場合の被測定者の手など、何らかの物体によって覆われた場合であっても、覆われていない部分によって発する光の点滅が撮影デバイスによって撮影されるので、発光デバイスによって発する光の点滅の信号によって出力される情報が電子機器によって取得されることが失敗することを抑えることができる。
【００２２】
本発明のアルコール測定器は、吹き込まれた呼気中のアルコール濃度を測定するアルコール測定器であって、前記アルコール測定器は、画像を撮影する撮影デバイスを備える電子機器に前記アルコール濃度の測定中の画像としての測定中画像を取得させるための情報としての測定中画像取得命令を前記アルコール濃度の測定中に出力し、前記アルコール測定器は、前記アルコール測定器の外部へ光を発する発光デバイスを備え、前記発光デバイスによって発する光の点滅の信号によって前記測定中画像取得命令を出力することを特徴とする。
【００２３】
この構成により、本発明のアルコール測定器は、発光デバイスによって発する光の点滅の信号によって測定中画像取得命令をアルコール濃度の測定中に出力するので、アルコール測定器と、このアルコール測定器に呼気を吹き込む被測定者とが測定中画像に含まれる可能性を向上することができ、その結果、なりすまし測定の発生を抑えることができる。
【発明の効果】
【００２４】
本発明のアルコール測定システムおよびアルコール測定器は、なりすまし測定の発生を抑えることができる。
【図面の簡単な説明】
【００２５】
【図１】本発明の第１の実施の形態に係るアルコール測定システムのブロック図である。
【図２】図１に示すアルコール測定器の一例の外観斜視図である。
【図３】図１に示すアルコール測定器のブロック図である。
【図４】図２に示す例とは異なる一例のアルコール測定器と、スマートフォンとの側面図である。
【図５】図２および図４に示す例とは異なる一例のアルコール測定器と、スマートフォンとの側面図である。
【図６】図２、図４および図５に示す例とは異なるアルコール測定器の一例の外観斜視図である。
【図７】図１に示すスマートフォンの外観斜視図である。
【図８】図１に示すスマートフォンのブロック図である。
【図９】図１に示すアルコール測定システムの動作のシーケンス図である。
【図１０】図８に示す表示部に表示されるメイン画面の一例を示す図である。
【図１１】アルコール測定器と連携する場合の図８に示すスマートフォンの動作のフローチャートである。
【図１２】呼気中のアルコール濃度を測定する場合の図３に示すアルコール測定器の動作のフローチャートである。
【図１３】本発明の第２の実施の形態に係るアルコール測定システムの動作のシーケンス図である。
【図１４】本発明の第３の実施の形態に係るアルコール測定システムの動作のシーケンス図である。
【図１５】アルコール測定器と連携する場合の、本発明の第４の実施の形態に係るアルコール測定システムのスマートフォンの動作の一部のフローチャートである。
【図１６】呼気中のアルコール濃度を測定する場合の、本発明の第４の実施の形態に係るアルコール測定システムのアルコール測定器の動作の一部のフローチャートである。
【図１７】呼気中のアルコール濃度を測定する場合の、本発明の第４の実施の形態に係るアルコール測定システムのアルコール測定器の、図１６に示す例とは異なる例の動作の一部のフローチャートである。
【発明を実施するための形態】
【００２６】
以下、本発明の実施の形態について、図面を用いて説明する。
【００２７】
（第１の実施の形態）
まず、本発明の第１の実施の形態に係るアルコール測定システムの構成について説明する。
【００２８】
図１は、本実施の形態に係るアルコール測定システム１０のブロック図である。
【００２９】
図１に示すように、アルコール測定システム１０は、吹き込まれた呼気中のアルコール濃度を測定するアルコール測定器２０と、電子機器としてのスマートフォン４０と、クラウド６０とを備えている。アルコール測定システム１０は、被測定者の呼気中のアルコール濃度を測定するシステムである。ここで、被測定者は、例えば、車両の運転者である。
【００３０】
アルコール測定システム１０は、アルコール測定器２０と同様なアルコール測定器を、アルコール測定器２０以外に少なくとも１つ備えても良い。アルコール測定システム１０においては、被測定者によって使用されるアルコール測定器を被測定者毎に異ならせても良い。
【００３１】
アルコール測定システム１０は、スマートフォン４０と同様なスマートフォンを、スマートフォン４０以外に少なくとも１つ備えても良い。アルコール測定システム１０においては、被測定者によって使用されるスマートフォンを被測定者毎に異ならせても良い。
【００３２】
クラウド６０は、少なくとも１つのコンピューターによって実現されている。
【００３３】
図２は、アルコール測定器２０の一例の外観斜視図である。図３は、アルコール測定器２０のブロック図である。
【００３４】
図２および図３に示すように、アルコール測定器２０は、筐体２１と、筐体２１に対して着脱可能であり、被測定者によって咥えられて呼気が吹き込まれるマウスピース２２と、呼気中のアルコール濃度の測定を開始するためのスイッチ２３と、アルコール濃度などの情報を表示するためのＬＣＤ（Ｌｉｑｕｉｄ  Ｃｒｙｓｔａｌ  Ｄｉｓｐｌａｙ）などの表示デバイスである表示部２４と、アルコール測定器２０の外部へ光２５ａ（図４または図５参照。）を発する発光デバイス２５と、マウスピース２２に吹き込まれた呼気の強さとしての呼気圧を検出する呼気圧センサー２６と、マウスピース２２に吹き込まれた呼気を吸引する吸引ポンプ２７と、吸引ポンプ２７によって吸引された呼気中のアルコール濃度を検出するアルコールセンサー２８と、アルコールセンサー２８から出力される信号を増幅するアンプ２９と、有線通信またはＢｌｕｅｔｏｏｔｈなどの無線通信によって直接にスマートフォンと通信を行うための通信デバイスである通信部３０と、各種のデータを記憶している半導体メモリーなどの不揮発性の記憶デバイスである記憶部３１と、アルコール測定器２０全体を制御する制御部３２とを備えている。
【００３５】
発光デバイス２５としては、例えば、ＬＥＤ（Ｌｉｇｈｔ  Ｅｍｉｔｔｉｎｇ  Ｄｉｏｄｅ）、電球、有機ＥＬ（Ｅｌｅｃｔｒｏ−Ｌｕｍｉｎｅｓｃｅｎｃｅ）などが採用されても良いし、ＬＣＤなどの表示デバイスが採用されても良い。
【００３６】
記憶部３１は、アルコール測定器２０の識別情報としての測定器ＩＤ３１ａを記憶している。測定器ＩＤとしては、例えば、アルコール測定器の製造時に付与されるシリアルナンバーが採用されても良い。
【００３７】
記憶部３１は、アルコール濃度の測定の結果を示す測定結果情報３１ｂを記憶することができる。測定結果情報３１ｂは、例えば「アルコール未検知  ０．０００ｍｇ／Ｌ」などの情報である。
【００３８】
制御部３２は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部３２のＣＰＵの作業領域として用いられるメモリーとしてのＲＡＭ（Ｒａｎｄｏｍ  Ａｃｃｅｓｓ  Ｍｅｍｏｒｙ）とを備えている。制御部３２のＣＰＵは、記憶部３１または制御部３２のＲＯＭに記憶されているプログラムを実行する。
【００３９】
制御部３２は、アルコール測定器２０によるアルコール濃度の測定中の画像としての測定中画像をスマートフォンに取得させるための情報としての測定中画像取得命令であるシャッターコマンドを、発光デバイス２５によって発する光２５ａの点滅の信号によって出力することが可能である。
【００４０】
図４は、図２に示す例とは異なる一例のアルコール測定器２０と、スマートフォン４０との側面図である。図５は、図２および図４に示す例とは異なる一例のアルコール測定器２０と、スマートフォン４０との側面図である。
【００４１】
図４および図５は、被測定者がアルコール濃度の測定に適した姿勢でアルコール測定器２０を右手で掴み、スマートフォン４０を左手で掴んでいる状況を示している。アルコール濃度の測定に適した姿勢は、例えば、アルコール測定器２０の製造者によって推奨されている姿勢である。図４および図５において、アルコール測定器２０は、アルコール濃度の測定に適した角度で配置されており、スマートフォン４０は、アルコール測定器２０の発光デバイス２５によって発せられた光２５ａがスマートフォン４０のカメラ４３によって撮影される位置に配置されている。図４および図５は、筐体２１のうち発光デバイス２５の近傍の部分が断面で示されている。
【００４２】
図４および図５には、アルコール測定器２０の外部の光源９１が描かれている。光源９１は、アルコール測定器２０およびスマートフォン４０が図４および図５に示す状態である場合に、発光デバイス２５からカメラ４３に向かう矢印９０ａで示す方向における位置が発光デバイス２５より下流であるとともに、矢印９０ｂで示す鉛直方向における位置が発光デバイス２５より上である。光源９１は、例えば太陽である。
【００４３】
図４に示すアルコール測定器２０は、アルコール測定器２０およびスマートフォン４０が図４に示す状態である場合に、光源９１から発光デバイス２５に向かう光９１ａを遮蔽する外部光遮蔽部として、ひさし２１ａが筐体２１に設けられている。
【００４４】
図５に示すアルコール測定器２０は、発光デバイス２５が内部に配置されている溝部２１ｂが筐体２１に設けられている。溝部２１ｂの天井２１ｃは、アルコール測定器２０およびスマートフォン４０が図５に示す状態である場合に、光源９１から発光デバイス２５に向かう光９１ａを遮蔽する外部光遮蔽部を構成している。
【００４５】
図６は、図２、図４および図５に示す例とは異なるアルコール測定器２０の一例の外観斜視図である。
【００４６】
図６に示すアルコール測定器２０は、発光デバイス２５が筐体２１に複数設けられている。図６に示すアルコール測定器２０に設けられている複数の発光デバイス２５は、点灯する場合には全て同時に点灯し、消灯する場合にも全て同時に消灯する。すなわち、図６に示すアルコール測定器２０に設けられている複数の発光デバイス２５は、互いに同一のタイミングで点滅する。図６に示すアルコール測定器２０は、少なくとも１つの発光デバイス２５に対して図４または図５に示す外部光遮蔽部を備えても良い。なお、図６においては、発光デバイス２５が３つ描かれている。しかしながら、アルコール測定器２０に設けられ発光デバイス２５の数、形状、大きさおよび配置の少なくとも１つは、図６に示すもの以外のものでも良い。
【００４７】
図７は、スマートフォン４０の外観斜視図である。図８は、スマートフォン４０のブロック図である。
【００４８】
図７および図８に示すように、スマートフォン４０は、筐体４１と、種々の操作が入力される例えばボタンなどの操作デバイスである操作部４２と、画像を撮影する撮影デバイスとしてのカメラ４３と、種々の情報を表示する例えばＬＣＤなどの表示デバイスである表示部４４と、音声を入力するマイク４５と、音声を出力するスピーカー４６と、有線通信またはＢｌｕｅｔｏｏｔｈなどの無線通信によって直接にアルコール測定器と通信を行うための通信デバイスである通信部４７と、ＬＴＥ（Ｌｏｎｇ  Ｔｅｒｍ  Ｅｖｏｌｕｔｉｏｎ）などの携帯電話用の無線通信によってクラウド６０（図１参照。）と通信を行うための通信デバイスである通信部４８と、各種のデータを記憶している半導体メモリーなどの不揮発性の記憶デバイスである記憶部４９と、スマートフォン４０全体を制御する制御部５０とを備えている。
【００４９】
操作部４２の少なくとも一部は、表示部４４とともにタッチパネルを構成しても良い。
【００５０】
記憶部４９は、スマートフォン４０の識別情報としてのスマートフォンＩＤ４９ａを記憶している。スマートフォンＩＤとしては、例えば、電子メールアドレスが採用されても良い。
【００５１】
記憶部４９は、アルコール測定器と連携するためのアプリケーションプログラムとしての測定器連携用アプリ４９ｂを記憶している。
【００５２】
制御部５０は、例えば、ＣＰＵと、プログラムおよび各種のデータを記憶しているＲＯＭと、制御部５０のＣＰＵの作業領域として用いられるメモリーとしてのＲＡＭとを備えている。制御部５０のＣＰＵは、記憶部４９または制御部５０のＲＯＭに記憶されているプログラムを実行する。
【００５３】
制御部５０は、測定器連携用アプリ４９ｂを実行することによって、アルコール測定器と連携する測定器連携手段５０ａを実現する。
【００５４】
次に、アルコール測定システム１０の動作について説明する。
【００５５】
図９は、アルコール測定システム１０の動作のシーケンス図である。
【００５６】
図９に示すように、被測定者がスマートフォン４０の操作部４２を操作することによってスマートフォン４０の測定器連携用アプリ４９ｂを起動する（Ｓ１０１）と、スマートフォン４０の測定器連携手段５０ａは、メイン画面７０（図１０参照。）を表示部４４に表示する（Ｓ１０２）。
【００５７】
図１０は、メイン画面７０の一例を示す図である。
【００５８】
図１０に示すメイン画面７０は、被測定者の識別情報としての被測定者ＩＤが入力されるためのテキストボックス７１と、アルコール測定器との連携を開始する場合に押されるための連携開始ボタン７２とを含んでいる。
【００５９】
連携開始ボタン７２は、テキストボックス７１に被測定者ＩＤが入力されている場合にのみ、押されることが可能である。
【００６０】
図９に示すように、被測定者は、Ｓ１０２の処理の後、スマートフォン４０の操作部４２を操作することによってテキストボックス７１に被測定者ＩＤを入力して（Ｓ１０３）、スマートフォン４０の操作部４２を操作することによって連携開始ボタン７２を押す（Ｓ１０４）。
【００６１】
なお、スマートフォン４０の測定器連携手段５０ａは、テキストボックス７１に入力された被測定者ＩＤを記憶部４９に記憶することによって、記憶部４９に記憶した被測定者ＩＤを、表示部４４へのメイン画面７０の表示の度に、テキストボックス７１に自動で入力しても良い。測定器連携手段５０ａが被測定者ＩＤをテキストボックス７１に自動で入力する場合、Ｓ１０３は、省略されても良い。
【００６２】
測定器連携手段５０ａは、Ｓ１０４において連携開始ボタン７２が押されると、図１１に示す動作を開始する。
【００６３】
図１１は、アルコール測定器と連携する場合のスマートフォン４０の動作のフローチャートである。
【００６４】
図１１に示すように、測定器連携手段５０ａは、カメラ４３による画像の撮影を開始し（Ｓ１２１）、カメラ４３によって撮影されている画像を表示部４４に表示することを開始する（Ｓ１２２）。
【００６５】
なお、被測定者は、スマートフォン４０の表示部４４に表示されている、カメラ４３によって撮影されている画像を確認しながら、この画像内に被測定者自身の顔が含まれるように、被測定者自身の顔の位置と、スマートフォン４０の位置との少なくとも一方を調整する。
【００６６】
測定器連携手段５０ａは、Ｓ１２２の処理の後、カメラ４３によって撮影された画像に基づいてシャッターコマンドを取得したと判断するまで、カメラ４３によって撮影された画像に基づいてシャッターコマンドを取得したか否かを判断する（Ｓ１２３）。ここで、測定器連携手段５０ａは、カメラ４３によって撮影された画像に含まれる光の点滅を信号としてサンプリングを行い、カメラ４３によって撮影された画像に含まれる光の点滅の信号にシャッターコマンドが含まれる場合に、カメラ４３によって撮影された画像に基づいてシャッターコマンドを取得したと判断する。
【００６７】
図９に示すように、被測定者は、Ｓ１０４の実行後、アルコール測定器２０のスイッチ２３を押す（Ｓ１０５）。なお、Ｓ１０５は、Ｓ１０４の実行時以前に実行されても良い。
【００６８】
アルコール測定器２０の制御部３２は、Ｓ１０５においてスイッチ２３が押されると、図１２に示す動作を開始する。
【００６９】
図１２は、呼気中のアルコール濃度を測定する場合のアルコール測定器２０の動作のフローチャートである。
【００７０】
図１２に示すように、制御部３２は、アルコールセンサー２８によるアルコール濃度の検出の準備のための動作を実行し（Ｓ１４１）、被測定者に呼気の吹き込みを促すメッセージを表示部２４に表示する（Ｓ１４２）。
【００７１】
次いで、制御部３２は、呼気圧センサー２６によって検出されている呼気圧が特定の呼気圧以上であるか否かを判断する（Ｓ１４３）。
【００７２】
制御部３２は、呼気圧センサー２６によって検出されている呼気圧が特定の呼気圧以上ではないとＳ１４３において判断すると、Ｓ１４２の処理の実行時からの経過時間が特定の時間を超えたか否かを判断する（Ｓ１４４）。
【００７３】
制御部３２は、Ｓ１４２の処理の実行時からの経過時間が特定の時間を超えていないとＳ１４４において判断すると、Ｓ１４３の処理を実行する。
【００７４】
制御部３２は、Ｓ１４２の処理の実行時からの経過時間が特定の時間を超えたとＳ１４４において判断すると、タイムアウトによるエラーであることを表示部２４に表示して（Ｓ１４５）、図１２に示す動作を終了する。
【００７５】
図９に示すように、被測定者は、Ｓ１４２においてアルコール測定器２０の表示部２４に表示されたメッセージを見て、マウスピース２２に呼気の吹き込みを開始する（Ｓ１０６）。
【００７６】
図１２に示すように、アルコール測定器２０の制御部３２は、呼気圧センサー２６によって検出されている呼気圧が特定の呼気圧以上であるとＳ１４３において判断すると、直前のＳ１４３において特定の呼気圧以上であると判断してからマウスピース２２に吹き込まれた呼気の流量が特定の流量に到達したか否かを判断する（Ｓ１４６）。ここで、制御部３２は、呼気圧センサー２６によって検出された呼気圧に基づいて流量を算出する。
【００７７】
制御部３２は、直前のＳ１４３において特定の呼気圧以上であると判断してからマウスピース２２に吹き込まれた呼気の流量が特定の流量に到達していないとＳ１４６において判断すると、呼気圧センサー２６によって検出されている呼気圧が特定の呼気圧以上であるか否かを判断する（Ｓ１４７）。Ｓ１４７の判断における閾値である「特定の呼気圧」は、Ｓ１４３の判断における閾値である「特定の呼気圧」と同一である。
【００７８】
制御部３２は、呼気圧センサー２６によって検出されている呼気圧が特定の呼気圧以上ではないとＳ１４７において判断すると、Ｓ１４４の処理を実行する。
【００７９】
制御部３２は、呼気圧センサー２６によって検出されている呼気圧が特定の呼気圧以上であるとＳ１４７において判断すると、Ｓ１４６の処理を実行する。
【００８０】
制御部３２は、直前のＳ１４３において特定の呼気圧以上であると判断してからマウスピース２２に吹き込まれた呼気の流量が特定の流量に到達したとＳ１４６において判断すると、発光デバイス２５によって発する光２５ａの点滅の信号によってシャッターコマンドを出力する（Ｓ１４８）。
【００８１】
図１１に示すように、スマートフォン４０の測定器連携手段５０ａは、カメラ４３によって撮影された画像に基づいてシャッターコマンドを取得したとＳ１２３において判断すると、カメラ４３によって撮影されている画像の静止画像を測定中画像として取得する（Ｓ１２４）。
【００８２】
次いで、測定器連携手段５０ａは、アルコール測定器によるアルコール濃度の測定の結果を示す測定結果情報を通信部４７経由で取得したと判断するまで、測定結果情報を通信部４７経由で取得したか否かを判断する（Ｓ１２５）。
【００８３】
図１２に示すように、アルコール測定器２０の制御部３２は、Ｓ１４８の処理の後、マウスピース２２に吹き込まれた呼気を吸引ポンプ２７によって吸引し（Ｓ１４９）、Ｓ１４９において吸引した呼気に対してアルコールセンサー２８によって出力されてアンプ２９によって増幅された信号に基づいてアルコール濃度を算出する（Ｓ１５０）。なお、制御部３２は、Ｓ１５０において算出したアルコール濃度を含む測定結果情報を、測定結果情報３１ｂとして記憶部３１に記憶しても良いし、表示部２４に表示しても良い。
【００８４】
制御部３２は、Ｓ１５０の処理の後、記憶部３１に記憶されている測定器ＩＤ３１ａと、Ｓ１５０において算出したアルコール濃度を含む測定結果情報とを通信部３０経由で送信して（Ｓ１５１）、図１２に示す動作を終了する。
【００８５】
図１１に示すように、スマートフォン４０の測定器連携手段５０ａは、測定結果情報を通信部４７経由で取得したとＳ１２５において判断すると、Ｓ１０４において連携開始ボタン７２が押された時点でテキストボックス７１に入力されていた被測定者ＩＤと、アルコール測定器２０によってＳ１５１において送信されて通信部４７経由で取得した測定器ＩＤと、記憶部４９に記憶されているスマートフォンＩＤ４９ａと、Ｓ１２４において取得した測定中画像と、アルコール測定器２０によってＳ１５１において送信されて通信部４７経由で取得した測定結果情報と、この測定結果情報を通信部４７経由で取得した日時とを通信部４８経由でクラウド６０に送信して（Ｓ１２６）、図１１に示す動作を終了する。
【００８６】
図９に示すように、クラウド６０は、Ｓ１２６においてスマートフォン４０から送信されてきた被測定者ＩＤ、測定器ＩＤ、スマートフォンＩＤ、測定中画像、測定結果情報および日時の組み合わせを保存する（Ｓ１０７）。
【００８７】
以上に説明したように、アルコール測定システム１０は、発光デバイス２５によって発する光２５ａの点滅の信号によってアルコール測定器２０がシャッターコマンドをアルコール濃度の測定中に出力し（Ｓ１４８）、カメラ４３によって撮影された画像に含まれる光の点滅の信号に基づいてスマートフォン４０がシャッターコマンドを取得した場合（Ｓ１２３でＹＥＳ）に、スマートフォン４０が測定中画像を取得する（Ｓ１２４）ので、アルコール測定器２０と、このアルコール測定器２０に呼気を吹き込む被測定者とが測定中画像に含まれる可能性を向上することができ、その結果、なりすまし測定の発生を抑えることができる。
【００８８】
特に、アルコール測定システム１０は、アルコール濃度の測定中に呼気が吹き込まれたことをアルコール測定器２０が検出した場合（Ｓ１４３でＹＥＳ）に、アルコール測定器２０がシャッターコマンドを出力する（Ｓ１４８）ので、被測定者がアルコール測定器２０に呼気を吹き込んだ様子が測定中画像に含まれる可能性を更に向上することができる。
【００８９】
なお、アルコール測定器２０は、アルコール濃度の測定中に呼気が吹き込まれたことを検出した場合にシャッターコマンドを出力するタイミングとして、直前のＳ１４３において特定の呼気圧以上であると判断してからマウスピース２２に吹き込まれた呼気の流量が特定の流量に到達したとＳ１４６において判断したタイミング以外のタイミングが採用されても良い。例えば、アルコール測定器２０は、被測定者によるアルコール測定器２０への呼気の吹き込みの開始時から、被測定者によるアルコール測定器２０への呼気の吹き込みの終了時までのいずれかのタイミングで、シャッターコマンドを出力しても良い。例えば、アルコール測定器２０は、呼気圧センサー２６によって検出されている呼気圧が０を超えた場合にシャッターコマンドを出力しても良い。
【００９０】
また、アルコール測定器２０は、呼気が吹き込まれたことを検出したか否かに関係なく、アルコール濃度の測定中の特定のタイミングでシャッターコマンドを出力しても良い。例えば、アルコール測定器２０は、スイッチ２３が押された後、呼気が吹き込まれたことを検出する前にシャッターコマンドを出力しても良い。なお、アルコール測定器２０によるアルコール濃度の測定開始時は、例えば、スイッチ２３が押された時点である。また、アルコール測定器２０によるアルコール濃度の測定終了時は、例えば、測定結果情報がアルコール測定器２０の外部に出力された時点である。この出力には、表示部２４による表示と、通信部３０による送信とが含まれる。
【００９１】
アルコール測定システム１０は、アルコール測定器２０が図４および図５に示すように外部光遮蔽部を備える場合、アルコール測定器２０によってアルコール濃度の測定が実行されるときに外部の光源９１からの光９１ａが発光デバイス２５に当たることを外部光遮蔽部によって抑えるので、例えば、太陽光の影響が想定される場所でアルコール測定器２０によってアルコール濃度の測定が実行されるときであっても、発光デバイス２５によって発する光２５ａの点滅の信号によって出力される情報がスマートフォン４０によって取得されることが失敗することを抑えることができる。
【００９２】
アルコール測定システム１０は、アルコール測定器２０が図６に示すように複数の発光デバイス２５を備える場合、互いに同一のタイミングで点滅する複数の発光デバイス２５の一部が、アルコール測定器２０が被測定者によって掴まれる場合の被測定者の手など、何らかの物体によって覆われたときであっても、覆われていない部分によって発する光２５ａの点滅がカメラ４３によって撮影されるので、発光デバイス２５によって発する光２５ａの点滅の信号によって出力される情報がスマートフォン４０によって取得されることが失敗することを抑えることができる。
【００９３】
なお、アルコール測定システム１０は、アルコール測定器２０の測定器ＩＤと、測定結果情報とが、互いに同一のタイミングでアルコール測定器２０からスマートフォン４０に通知される。しかしながら、アルコール測定システム１０は、アルコール測定器２０の測定器ＩＤと、測定結果情報とが、互いに異なるタイミングでアルコール測定器２０からスマートフォン４０に通知されても良い。
【００９４】
（第２の実施の形態）
本発明の第２の実施の形態に係るアルコール測定システムの構成は、第１の実施の形態に係るアルコール測定システム１０（図１参照。）の構成と同様であるので、アルコール測定システム１０の構成と同一の符号を付して、説明を省略する。
【００９５】
本実施の形態に係るアルコール測定システムの動作は、以下に述べる内容を除いて、アルコール測定システム１０の動作と同様である。
【００９６】
図１３は、本実施の形態に係るアルコール測定システムの動作のシーケンス図である。
【００９７】
アルコール測定システム１０において、アルコール測定器２０の制御部３２は、図９に示すように、発光デバイス２５によって発する光２５ａの点滅の信号によってシャッターコマンドを出力する（Ｓ１４８）とともに、記憶部３１に記憶されている測定器ＩＤ３１ａと、測定結果情報とを通信部３０経由でスマートフォン４０に送信する（Ｓ１５１）。しかしながら、本実施の形態に係るアルコール測定システムにおいて、アルコール測定器２０の制御部３２は、図１３に示すように、発光デバイス２５によって発する光２５ａの点滅の信号によってシャッターコマンドと、記憶部３１に記憶されている測定器ＩＤ３１ａとを出力する（Ｓ２４８）とともに、測定結果情報を通信部３０経由でスマートフォン４０に送信する（Ｓ２５１）。
【００９８】
なお、本実施の形態に係るアルコール測定システムにおいて、アルコール測定器２０が発光デバイス２５によって発する光２５ａの点滅の信号によってシャッターコマンドと、記憶部３１に記憶されている測定器ＩＤ３１ａとを出力する（Ｓ２４８）ので、スマートフォン４０の測定器連携手段５０ａは、カメラ４３によって撮影された画像に含まれる光の点滅を信号としてサンプリングを行い、カメラ４３によって撮影された画像に含まれる光の点滅の信号に基づいてシャッターコマンドおよび測定器ＩＤを取得する。
【００９９】
また、本実施の形態に係るアルコール測定システムにおいて、記憶部３１に記憶されている測定器ＩＤ３１ａをアルコール測定器２０が発光デバイス２５によって発する光２５ａの点滅の信号によって出力する（Ｓ２４８）ので、スマートフォン４０の測定器連携手段５０ａは、Ｓ１０４において連携開始ボタン７２が押された時点でテキストボックス７１に入力されていた被測定者ＩＤと、アルコール測定器２０によって光２５ａの点滅の信号によってＳ２４８において出力されてカメラ４３によって撮影された画像に含まれる光の点滅の信号に基づいて取得した測定器ＩＤと、記憶部４９に記憶されているスマートフォンＩＤ４９ａと、Ｓ１２４において取得した測定中画像と、アルコール測定器２０によってＳ２５１において送信されて通信部４７経由で取得した測定結果情報と、この測定結果情報を通信部４７経由で取得した日時とを通信部４８経由でクラウド６０に送信する（Ｓ２２６）。
【０１００】
本実施の形態に係るアルコール測定システムは、以上に説明したように動作するので、アルコール測定システム１０によって得られる効果に加えて、以下に説明する効果を得ることができる。
【０１０１】
本実施の形態に係るアルコール測定システムは、発光デバイス２５によって発する光２５ａの点滅の信号によってアルコール測定器２０がアルコール測定器２０の測定器ＩＤを出力し（Ｓ２４８）、カメラ４３によって撮影した画像に含まれる光の点滅の信号に基づいてスマートフォン４０がアルコール測定器２０の測定器ＩＤを取得するので、測定中画像に含まれるアルコール測定器２０、すなわち、被測定者が呼気を吹き込んだ可能性が高いアルコール測定器２０の識別情報をスマートフォン４０が取得することができ、その結果、不正な測定の発生を抑えることができる。
【０１０２】
なお、本実施の形態に係るアルコール測定システムは、アルコール測定器の測定器ＩＤと、シャッターコマンドとが、互いに同一のタイミングでアルコール測定器から出力されてスマートフォンによって取得される。しかしながら、本実施の形態に係るアルコール測定システムは、アルコール測定器の測定器ＩＤと、シャッターコマンドとが、互いに異なるタイミングでアルコール測定器から出力されてスマートフォンによって取得されても良い。すなわち、本実施の形態に係るアルコール測定器２０は、発光デバイス２５によって発する光２５ａの点滅の信号によってシャッターコマンドを出力するタイミングとは異なるタイミングで、発光デバイス２５によって発する光２５ａの点滅の信号によってアルコール測定器２０自身の測定器ＩＤを出力しても良い。
【０１０３】
（第３の実施の形態）
本発明の第３の実施の形態に係るアルコール測定システムの構成は、第１の実施の形態に係るアルコール測定システム１０（図１参照。）の構成と同様であるので、アルコール測定システム１０の構成と同一の符号を付して、説明を省略する。
【０１０４】
本実施の形態に係るアルコール測定システムの動作は、以下に述べる内容を除いて、アルコール測定システム１０の動作と同様である。
【０１０５】
図１４は、本実施の形態に係るアルコール測定システムの動作のシーケンス図である。
【０１０６】
アルコール測定システム１０において、アルコール測定器２０の制御部３２は、図９に示すように、記憶部３１に記憶されている測定器ＩＤ３１ａと、測定結果情報とを通信部３０経由でスマートフォン４０に送信する（Ｓ１５１）。しかしながら、本実施の形態に係るアルコール測定システムにおいて、アルコール測定器２０の制御部３２は、図１４に示すように、記憶部３１に記憶されている測定器ＩＤ３１ａと、測定結果情報とを、発光デバイス２５によって発する光２５ａの点滅の信号によって出力する（Ｓ３５１）。
【０１０７】
なお、本実施の形態に係るアルコール測定システムにおいて、アルコール測定器２０が記憶部３１に記憶されている測定器ＩＤ３１ａと、測定結果情報とを発光デバイス２５によって発する光２５ａの点滅の信号によって出力する（Ｓ３５１）ので、スマートフォン４０の測定器連携手段５０ａは、カメラ４３によって撮影された画像に含まれる光の点滅を信号としてサンプリングを行い、カメラ４３によって撮影された画像に含まれる光の点滅の信号に基づいて測定結果情報および測定器ＩＤを取得する。
【０１０８】
また、本実施の形態に係るアルコール測定システムにおいて、アルコール測定器２０が記憶部３１に記憶されている測定器ＩＤ３１ａと、測定結果情報とを発光デバイス２５によって発する光２５ａの点滅の信号によって出力する（Ｓ３５１）ので、スマートフォン４０の測定器連携手段５０ａは、Ｓ１０４において連携開始ボタン７２が押された時点でテキストボックス７１に入力されていた被測定者ＩＤと、アルコール測定器２０によって光２５ａの点滅の信号によってＳ３５１において出力されてカメラ４３によって撮影された画像に含まれる光の点滅の信号に基づいて取得した測定器ＩＤと、記憶部４９に記憶されているスマートフォンＩＤ４９ａと、Ｓ１２４において取得した測定中画像と、アルコール測定器２０によって光２５ａの点滅の信号によってＳ３５１において出力されてカメラ４３によって撮影された画像に含まれる光の点滅の信号に基づいて取得した測定結果情報と、この測定結果情報をカメラ４３によって撮影された画像に含まれる光の点滅の信号に基づいて取得した日時とを通信部４８経由でクラウド６０に送信する（Ｓ３２６）。
【０１０９】
本実施の形態に係るアルコール測定システムは、以上に説明したように動作するので、第２の実施の形態に係るアルコール測定システムによって得られる効果に加えて、以下に説明する効果を得ることができる。
【０１１０】
本実施の形態に係るアルコール測定システムは、発光デバイス２５によって発する光２５ａの点滅の信号によってアルコール測定器２０が測定結果情報を出力し（Ｓ３５１）、カメラ４３によって撮影した画像に含まれる光の点滅の信号に基づいてスマートフォン４０が測定結果情報を取得するので、測定中画像に含まれるアルコール測定器２０、すなわち、被測定者が呼気を吹き込んだ可能性が高いアルコール測定器２０によって出力された測定結果情報をスマートフォン４０が取得することができ、その結果、なりすまし測定の発生を抑えることができる。
【０１１１】
なお、本実施の形態に係るアルコール測定システムは、アルコール測定器の測定器ＩＤと、測定結果情報とが、互いに同一のタイミングでアルコール測定器から出力されてスマートフォンによって取得される。しかしながら、本実施の形態に係るアルコール測定システムは、アルコール測定器の測定器ＩＤと、測定結果情報とが、互いに異なるタイミングでアルコール測定器から出力されてスマートフォンによって取得されても良い。すなわち、本実施の形態に係るアルコール測定器２０は、発光デバイス２５によって発する光２５ａの点滅の信号によって測定結果情報を出力するタイミングとは異なるタイミングで、発光デバイス２５によって発する光２５ａの点滅の信号によってアルコール測定器２０自身の測定器ＩＤを出力しても良い。例えば、本実施の形態に係るアルコール測定器２０は、第２の実施の形態と同様に、発光デバイス２５によって発する光２５ａの点滅の信号によって、アルコール測定器の測定器ＩＤを、シャッターコマンドとともに出力しても良い。
【０１１２】
本実施の形態に係るアルコール測定システムは、アルコール測定器２０からスマートフォン４０に通知する全ての情報を、発光デバイス２５によって発する光２５ａの点滅の信号によってアルコール測定器２０が出力し、アルコール測定器２０からスマートフォン４０に通知する全ての情報を、カメラ４３によって撮影した画像に含まれる光の点滅の信号に基づいてスマートフォン４０が取得するので、アルコール測定器２０と、スマートフォン４０との間の通信方式の種類を低減することができる。したがって、本実施の形態に係るアルコール測定システムは、例えば、アルコール測定器２０、スマートフォン４０が、それぞれ、通信部３０、通信部４７を備えなくても良いので、部品のために必要なコストを低減することができる。また、本実施の形態に係るアルコール測定システムは、アルコール測定器２０と、スマートフォン４０とがＢｌｕｅｔｏｏｔｈなどの無線通信によって通信を行う必要がないので、アルコール測定器２０と、スマートフォン４０とがＢｌｕｅｔｏｏｔｈなどの無線通信によって通信を行う場合に必要となる煩雑な通信設定作業を省略することができる。
【０１１３】
なお、本実施の形態に係るアルコール測定システムは、第１の実施の形態に係るアルコール測定システム１０と同様に、アルコール測定器２０の測定器ＩＤがアルコール測定器２０からスマートフォン４０に通信部３０および通信部４７を介して通知されても良い。
【０１１４】
（第４の実施の形態）
本発明の第４の実施の形態に係るアルコール測定システムの構成は、第１の実施の形態に係るアルコール測定システム１０（図１参照。）の構成と同様であるので、アルコール測定システム１０の構成と同一の符号を付して、説明を省略する。
【０１１５】
本実施の形態に係るアルコール測定システムの動作は、以下に述べる内容を除いて、第３の実施の形態に係るアルコール測定システムの動作と同様である。
【０１１６】
図１５は、アルコール測定器と連携する場合の、本実施の形態に係るアルコール測定システムのスマートフォン４０の動作の一部のフローチャートである。
【０１１７】
図１５に示すように、スマートフォン４０の測定器連携手段５０ａは、Ｓ１２２の処理の後、カメラ４３による撮影の範囲内におけるアルコール測定器の発光デバイスの存在の判定のために使用される撮影判定用情報を、カメラ４３によって撮影された画像に基づいて、直前の特定の時間内に取得したか否かを判断する（Ｓ４２１）。ここで、測定器連携手段５０ａは、カメラ４３によって撮影された画像に含まれる光の点滅を信号としてサンプリングを行い、カメラ４３によって撮影された画像に含まれる光の点滅の信号に撮影判定用情報が含まれる場合に、カメラ４３によって撮影された画像に基づいて撮影判定用情報を取得したと判断する。
【０１１８】
測定器連携手段５０ａは、カメラ４３によって撮影された画像に基づいて撮影判定用情報を直前の特定の時間内に取得しなかったとＳ４２１において判断すると、カメラ４３によって撮影されている画像を表示部４４に表示することをＳ１２２において開始してからの経過時間が特定の時間を超えたか否かを判断する（Ｓ４２２）。ここで、Ｓ４２１における「特定の時間」と、Ｓ４２２における「特定の時間」とは、同一の長さの時間である。例えば、Ｓ４２１における「特定の時間」と、Ｓ４２２における「特定の時間」とは、１秒程度の時間でも良い。
【０１１９】
測定器連携手段５０ａは、カメラ４３によって撮影されている画像を表示部４４に表示することをＳ１２２において開始してからの経過時間が特定の時間を超えていないとＳ４２２において判断すると、Ｓ４２１の処理を実行する。
【０１２０】
測定器連携手段５０ａは、カメラ４３によって撮影されている画像を表示部４４に表示することをＳ１２２において開始してからの経過時間が特定の時間を超えたとＳ４２２において判断すると、特定の通知としてスピーカー４６による警告音の出力を実行して（Ｓ４２３）、Ｓ４２１の処理を実行する。
【０１２１】
測定器連携手段５０ａは、カメラ４３によって撮影された画像に基づいて撮影判定用情報を直前の特定の時間内に取得したとＳ４２１において判断すると、Ｓ１２３（図１１参照。）の処理と同様に、カメラ４３によって撮影された画像に基づいてシャッターコマンドを取得したか否かを判断する（Ｓ４２４）。
【０１２２】
測定器連携手段５０ａは、カメラ４３によって撮影された画像に基づいてシャッターコマンドを取得しなかったとＳ４２４において判断すると、Ｓ４２１の処理を実行する。
【０１２３】
測定器連携手段５０ａは、カメラ４３によって撮影された画像に基づいてシャッターコマンドを取得したとＳ４２４において判断すると、Ｓ１２４の処理を実行する。
【０１２４】
図１６は、呼気中のアルコール濃度を測定する場合の、本実施の形態に係るアルコール測定システムのアルコール測定器２０の動作の一部のフローチャートである。
【０１２５】
図１６に示すように、アルコール測定器２０の制御部３２は、Ｓ１４２の処理の後、発光デバイス２５によって発する光２５ａの点滅の信号によって撮影判定用情報を一定または不定の間隔で繰り返し出力する撮影判定用情報出力処理を開始する（Ｓ４４１）。ここで、撮影判定用情報出力処理における撮影判定用情報の出力の間隔は、Ｓ４２１における「特定の時間」以下の時間であることが好ましい。
【０１２６】
制御部３２は、Ｓ４４１の処理の後、Ｓ１４３の処理を実行する。
【０１２７】
制御部３２は、直前のＳ１４３において特定の呼気圧以上であると判断してからマウスピース２２に吹き込まれた呼気の流量が特定の流量に到達したとＳ１４６において判断すると、撮影判定用情報出力処理を終了して（Ｓ４４２）、Ｓ１４８の処理を実行する。
【０１２８】
本実施の形態に係るアルコール測定システムは、以上に説明したように動作するので、第３の実施の形態に係るアルコール測定システムによって得られる効果に加えて、以下に説明する効果を得ることができる。
【０１２９】
本実施の形態に係るアルコール測定システムは、発光デバイス２５によって発する光２５ａの点滅の信号によってアルコール測定器２０が撮影判定用情報を出力し（Ｓ４４１）、カメラ４３によって撮影した画像に含まれる光の点滅の信号に基づいてスマートフォン４０が撮影判定用情報を取得し（Ｓ４２１でＹＥＳ）、撮影判定用情報を取得していない場合（Ｓ４２１でＮＯ）にスマートフォン４０が警告音の出力を実行する（Ｓ４２３）ので、カメラ４３による撮影の範囲内に発光デバイス２５が存在しない場合にスマートフォン４０によって実行される警告音の出力によって、カメラ４３による撮影の範囲内に発光デバイス２５を存在させるように被測定者に促すことができ、その結果、スマートフォン４０によるシャッターコマンドの取得の成功の可能性を向上することができる。
【０１３０】
なお、本実施の形態に係るアルコール測定器２０は、Ｓ１４２の処理の後であってＳ１４３の処理の前であるタイミングに、撮影判定用情報出力処理を開始する（Ｓ４４１）。しかしながら、本実施の形態に係るアルコール測定器２０は、撮影判定用情報出力処理の開始のタイミングとして、他のタイミングが採用されても良い。例えば、本実施の形態に係るアルコール測定器２０は、図１６に示す動作に代えて、図１７に示す動作を実行しても良い。
【０１３１】
図１７は、呼気中のアルコール濃度を測定する場合の、本実施の形態に係るアルコール測定システムのアルコール測定器２０の、図１６に示す例とは異なる例の動作の一部のフローチャートである。
【０１３２】
図１７に示す動作において、本実施の形態に係るアルコール測定器２０の制御部３２は、Ｓ１４２の処理の後であってＳ１４３の処理の前であるタイミングではなく、呼気圧センサー２６によって検出されている呼気圧が特定の呼気圧以上であるとＳ１４３において判断した後であってＳ１４６の処理の前であるタイミングに、撮影判定用情報出力処理を開始する（Ｓ４４３）。また、制御部３２は、Ｓ４４２のタイミングに加えて、呼気圧センサー２６によって検出されている呼気圧が特定の呼気圧以上ではないとＳ１４７において判断した後であってＳ１４４の処理の前であるタイミングにも、撮影判定用情報出力処理を終了する（Ｓ４４４）。
【０１３３】
本実施の形態に係るスマートフォン４０は、撮影判定用情報を取得していない場合（Ｓ４２１でＮＯ）に、特定の通知として警告音の出力を実行する（Ｓ４２３）。しかしながら、本実施の形態に係るスマートフォン４０は、撮影判定用情報を取得していない場合に、警告音の出力以外の方法によって特定の通知を実行しても良い。例えば、本実施の形態に係るスマートフォン４０は、撮影判定用情報を取得していない場合に、特定の通知として表示部４４による警告表示の出力を実行しても良い。
【０１３４】
なお、本実施の形態に係るアルコール測定システムは、アルコール測定器２０の測定器ＩＤおよび測定結果情報の少なくとも１つがアルコール測定器２０からスマートフォン４０に通信部３０および通信部４７を介して通知されても良い。
【０１３５】
本発明の測定中画像は、上述の各実施の形態において静止画像であるが、動画像でも良い。
【０１３６】
本発明の電子機器は、上述の各実施の形態においてスマートフォンであるが、撮影デバイスを備えていれば、スマートフォン以外の電子機器でも良い。
【符号の説明】
【０１３７】
１０  アルコール測定システム
２０  アルコール測定器
２１ａ  ひさし（外部光遮蔽部）
２１ｂ  溝部
２１ｃ  天井（外部光遮蔽部）
２５  発光デバイス
２５ａ  光
３１ａ  測定器ＩＤ（アルコール測定器の識別情報）
３１ｂ  測定結果情報
４０  スマートフォン（電子機器）
４３  カメラ（撮影デバイス）
【図１】
2019164028.tif 000003
【図２】
2019164028.tif 000004
【図３】
2019164028.tif 000005
【図４】
2019164028.tif 000006
【図５】
2019164028.tif 000007
【図６】
2019164028.tif 000008
【図７】
2019164028.tif 000009
【図８】
2019164028.tif 000010
【図９】
2019164028.tif 000011
【図１０】
2019164028.tif 000012
【図１１】
2019164028.tif 000013
【図１２】
2019164028.tif 000014
【図１３】
2019164028.tif 000015
【図１４】
2019164028.tif 000016
【図１５】
2019164028.tif 000017
【図１６】
2019164028.tif 000018
【図１７】
2019164028.tif 000019